(57)【要約】【課題】使い勝手に不満を感じるユーザを低減できる温調システムを提供する。【解決手段】温調システムは、ユーザにより操作されて操作信号を出力する操作部と、第１,第２画面を切り替えて表示可能である表示部と、情報表示画面選択部２１６ｄとを備える。第１,第２画面のそれぞれには、第１〜第８床冷暖房パネル３０１〜３０８のすくなくとも１つに関わる情報が表示可能である。情報表示画面選択部２１６ｄは、第１,第２画面の中から、第１〜第８床冷暖房パネル３０１〜３０８に関わる情報を表示する画面を、操作部からの操作信号に基づいて選択する。【選択図】図１
2016075461.tif 000002
【特許請求の範囲】
【請求項１】
熱媒との熱交換により、冷温水を生成する水熱交換器(２０１)と、
上記水熱交換器(２０１)で生成された冷温水の流れを制御する複数の開閉弁(２５１〜２５８)と、
それぞれが、上記各開閉弁(２５１〜２５８)を介して冷温水の供給を受けて、温調ゾーンの冷暖房を行う複数の二次側熱交換端末(３０１〜３０８)と、
複数の画面(４０３,４０４)を切り替えて表示可能であり、かつ、上記各画面(４０３,４０４)に少なくとも１つの上記二次側熱交換端末(３０１〜３０８)に関わる情報を表示可能である表示部(４０２)と、
ユーザにより操作されて操作信号を出力する操作部(４０１)と、
上記表示部(４０２)が表示する上記複数の画面(４０３,４０４)の中から、上記二次側熱交換端末(３０１〜３０８)に関わる情報を表示する画面を、上記操作部(４０１)からの上記操作信号に基づいて選択する情報表示画面選択部と(２１６ａ)
を備えることを特徴とする温調システム。
【請求項２】
請求項１に記載の温調システムにおいて、
上記複数の二次側熱交換端末(３０１〜３０８)のうちの少なくとも２つをグループ化して二次側熱交換端末群を設定する熱交換端末群設定部(２１６ｂ)を備え、
上記情報表示画面選択部と(２１６ａ)は、上記表示部(４０２)が表示する上記複数の画面(４０３,４０４)の中から、上記二次側熱交換端末(３０１〜３０８)に関わる情報と上記二次側熱交換端末群に関わる情報との少なくとも一方を表示する画面を、上記操作部(４０１)からの上記操作信号に基づいて選択することを特徴とする温調システム。
【請求項３】
請求項２に記載の温調システムにおいて、
上記情報表示画面選択部と(２１６ａ)は、上記二次側熱交換端末群の数と、上記二次側熱交換端末群設定部(２１６ｂ)によってグループ化されていない上記二次側熱交換端末(３０１〜３０８)の数とを合わせた数が、所定数以下になったとき、上記表示部(４０２)が表示する上記複数の画面(４０３,４０４)の中の所定画面を、上記二次側熱交換端末(３０１〜３０８)に関わる情報と上記二次側熱交換端末群に関わる情報との少なくとも一方を表示する画面として選択することを特徴とする温調システム。
【請求項４】
請求項１に記載の温調システムにおいて、
上記二次側熱交換端末(３０１〜３０８)に関わる情報に対応する上記温調ゾーンの名称を、上記操作部(４０１)からの上記操作信号に基づいて設定する名称設定部(２１６ｃ)を備えることを特徴とする温調システム。
【請求項５】
請求項２または３に記載の温調システムにおいて、
上記二次側熱交換端末群に関わる情報に対応する上記温調ゾーンの名称を、上記操作部(４０１)からの上記操作信号に基づいて設定する名称設定部(２１６ｃ)を備えることを特徴とする温調システム。
【請求項６】
請求項１から４までのいずれか一項に記載の温調システムにおいて、
上記表示部(４０２)が表示する上記複数の画面(４０３,４０４)の中から、デフォルト画面(４０３,４０４)を、上記操作部(４０１)からの上記操作信号に基づいて選択するデフォルト画面選択部(２１６ｄ)を備えることを特徴とする温調システム。
【請求項７】
請求項１から６までのいずれか一項に記載の温調システムにおいて、
上記操作部(４０１)に特定操作が行われた場合、上記複数の二次側熱交換端末(３０１〜３０８)の中に運転中の二次側熱交換端末(３０１〜３０８)があるとき、上記運転中の二次側熱交換端末(３０１〜３０８)の全てを停止させることを特徴とする温調システム。
【請求項８】
請求項７に記載の温調システムにおいて、
上記運転中の二次側熱交換端末(３０１〜３０８)の全てが停止した後、上記操作部(４０１)に特定操作が行われた場合、上記二次側熱交換端末(３０１〜３０８)の全ての運転を再開させることを特徴とする温調システム。
【発明の詳細な説明】
【技術分野】
【０００１】
本発明は、冷水を利用した冷房運転と、温水を利用した暖房運転とのうちの少なくとも一方を行う温調システムに関する。
【背景技術】
【０００２】
従来、温調システムとしては、特開２００６−３２９５７０号公報(特許文献１)に開示されたものがある。この温調システムは、第１温調ゾーンを暖房する第１床暖房パネルと、第１温調ゾーンとは異なる第２温調ゾーンを暖房する第２床暖房パネルと、第１,第２床暖房パネルを操作するためのリモコン装置とを備える。
【０００３】
上記リモコン装置は表示部を有する。この表示部には、上記第１床暖房パネルの設定情報と、上記第２床暖房パネルの設定情報とを、表示させることができるようになっている。より詳しくは、上記第１床暖房パネルの設定情報を表示する画面は、上記第２床暖房パネルの設定情報を表示する画面とは異なる。このため、ユーザは、上記リモコン装置を操作して、上記第１床暖房パネルの設定情報を表示する画面と、上記第２床暖房パネルの設定情報を表示する画面とを切り替える。
【先行技術文献】
【特許文献】
【０００４】
【特許文献１】特開２００６−３２９５７０号公報(図２)
【発明の概要】
【発明が解決しようとする課題】
【０００５】
ところで、上記第１床暖房パネルの設定情報がデフォルト画面に表示されるように設定されている場合、ユーザは、第２床暖房パネルの設定情報を確認するとき、表示部の画面の切り替え操作を上記リモコン装置に行わなければならない。したがって、上記従来の温調システムは、上記第２床暖房パネルの設定情報を主に確認したいユーザにとっては、使い勝手が悪い。
【０００６】
すなわち、上記従来の温調システムでは、上記第１,第２床暖房パネルの設定情報を表示する画面は、予め設定されて変更できないため、使い勝手が悪いという問題がある。
【０００７】
そこで、本発明の課題は、使い勝手に不満を感じるユーザを低減できる温調システムを提供することにある。
【課題を解決するための手段】
【０００８】
上記課題を解決するため、本発明の温調システムは、
熱媒との熱交換により、冷温水を生成する水熱交換器と、
上記水熱交換器で生成された冷温水の流れを制御する複数の開閉弁と、
それぞれが、上記各開閉弁を介して冷温水の供給を受けて、温調ゾーンの冷暖房を行う複数の二次側熱交換端末と、
複数の画面を切り替えて表示可能であり、かつ、上記各画面に少なくとも１つの上記二次側熱交換端末に関わる情報を表示可能である表示部と、
ユーザにより操作されて操作信号を出力する操作部と、
上記表示部が表示する上記複数の画面の中から、上記二次側熱交換端末に関わる情報を表示する画面を、上記操作部からの上記操作信号に基づいて選択する情報表示画面選択部と
を備えることを特徴としている。
【０００９】
上記構成によれば、上記表示部が切り替えて表示可能な画面は複数ある。この複数の画面の中から、二次側熱交換端末に関わる情報を表示する画面が、情報表示画面選択部の選択によって決まる。このとき、上記情報表示画面選択部の選択の根拠は、ユーザの操作に応じて操作部が出力した操作信号である。したがって、上記ユーザは、操作部の操作によって、二次側熱交換端末に関わる情報を表示する画面を、他の画面に変更することができる。その結果、上記表示部の表示をユーザの希望に合わせることができるので、使い勝手に不満を感じるユーザを低減できる。
【００１０】
一実施形態の温調システムは、
上記複数の二次側熱交換端末のうちの少なくとも２つをグループ化して二次側熱交換端末群を設定する熱交換端末群設定部を備え、
上記情報表示画面選択部は、上記表示部が表示する上記複数の画面の中から、上記二次側熱交換端末に関わる情報と上記二次側熱交換端末群に関わる情報との少なくとも一方を表示する画面を、上記操作部からの上記操作信号に基づいて選択することを特徴としている。
【００１１】
上記実施形態によれば、上記熱交換端末群設定部によって二次側熱交換端末群が設定されたとき、ユーザは、二次側熱交換端末に関わる情報と二次側熱交換端末群に関わる情報との少なくとも一方を、希望の画面に表示させることができる。
【００１２】
一実施形態の温調システムでは、
上記情報表示画面選択部は、上記二次側熱交換端末群の数と、上記熱交換端末群設定部によってグループ化されていない上記二次側熱交換端末の数とを合わせた数が、所定数以下になったとき、上記表示部が表示する上記複数の画面の中の所定画面を、上記二次側熱交換端末に関わる情報と上記二次側熱交換端末群に関わる情報との少なくとも一方を表示する画面として選択する。
【００１３】
上記実施形態によれば、上記二次側熱交換端末群の数と、上記熱交換端末群設定部によってグループ化されていない二次側熱交換端末の数とを合わせた数が、所定数以下になったとき、二次側熱交換端末に関わる情報と二次側熱交換端末群に関わる情報との少なくとも一方を表示する画面が自動的に決まるので、ユーザの画面設定の手間を軽減できる。
【００１４】
一実施形態の温調システムは、
上記二次側熱交換端末に関わる情報に対応する上記温調ゾーンの名称を、上記操作部からの上記操作信号に基づいて設定する名称設定部を備える。
【００１５】
上記実施形態によれば、上記温調ゾーンの名称は、名称設定部によって、ユーザが認識し易い名称に設定することができる。したがって、上記温調システムの使い勝手を向上させることができる。
【００１６】
一実施形態の温調システムは、
上記二次側熱交換端末群に関わる情報に対応する上記温調ゾーンの名称を、上記操作部からの上記操作信号に基づいて設定する名称設定部を備える。
【００１７】
上記実施形態によれば、上記温調ゾーンの名称は、名称設定部によって、ユーザが認識し易い名称に設定することができる。したがって、上記温調システムの使い勝手を向上させることができる。
【００１８】
一実施形態の温調システムは、
上記表示部が表示する上記複数の画面の中から、デフォルト画面を、上記操作部からの上記操作信号に基づいて選択するデフォルト画面選択部を備える。
【００１９】
上記実施形態によれば、上記ユーザは、操作部の操作によって、表示部が表示する上記複数の画面の中のどの画面がデフォルト画面になるのかを選択することができる。したがって、上記表示部の表示をユーザの希望に近くづけることができるので、使い勝手に不満を感じるユーザをさらに低減できる。
【００２０】
一実施形態の温調システムでは、
上記操作部に特定操作が行われた場合、上記複数の二次側熱交換端末の中に運転中の二次側熱交換端末があるとき、上記運転中の二次側熱交換端末の全てを停止させる。
【００２１】
上記実施形態によれば、ユーザが、操作部に特定操作を行えば、運転中の二次側熱交換端末の全てを停止させることができるので、ユーザの操作負荷を軽減できる。
【００２２】
一実施形態の温調システムでは、
上記運転中の二次側熱交換端末の全てが停止した後、上記操作部に特定操作が行われた場合、上記二次側熱交換端末の全ての運転を再開させる。
【００２３】
上記実施形態によれば、ユーザが、操作部に特定操作を行えば、操作部への特定操作で停止させた二次側熱交換端末の全ての運転を再開させることができるので、ユーザの操作負荷を軽減できる。
【発明の効果】
【００２４】
本発明の温調システムによれば、情報表示画面選択部が、表示部が表示する複数の画面の中から、二次側熱交換端末に関わる情報を表示する画面を、操作部からの操作信号に基づいて選択する。したがって、ユーザは、表示部を操作すれば、表示部の表示をカスタマイズすることができる。その結果、使い勝手に不満を感じるユーザを低減できる。
【図面の簡単な説明】
【００２５】
【図１】本発明の一実施形態の温調システムの概略構成図である。
【図２】上記温調システムのリモコン装置の概略正面図である。
【図３】上記リモコン装置の画面表示を説明するための図である。
【図４】上記リモコン装置の画面表示を説明するための図である。
【図５】上記リモコン装置の画面表示を説明するための図である。
【図６】上記リモコン装置の画面表示を説明するための図である。
【図７】上記リモコン装置の画面表示を説明するための図である。
【発明を実施するための形態】
【００２６】
以下、本発明の温調システムを図示の実施の形態により詳細に説明する。
【００２７】
図１は、本発明の一実施形態の温調システムの概略構成を示す図である。
【００２８】
〔温調システムの全体構成〕
上記温調システムは、室外ユニット１００と、この室外ユニット１００に接続された床冷暖房ユニット２００と、この床冷暖房ユニット２００に接続された第１〜第８床冷暖房パネル３０１〜３０８とを備える。なお、第１〜第８床冷暖房パネル３０１〜３０８は、それぞれ、２次側熱交換端末の一例である。
【００２９】
〔室外機１００の構成〕
上記室外機１００は、圧縮機１０１、四路切換弁１０２、室外熱交換器１０３、電動膨張弁１０４およびアキュムレータ１０５を有する。この電動膨張弁１０４の一端側には、室外熱交換器１０３の一端側が接続されている。また、四路切換弁１０２は第１〜第４ポート１０２ａ〜１０２ｄを有する。この第１ポート１０２ａが圧縮機１０１の吐出側に接続されている。また、第２ポート１０２ｂは室外熱交換器１０３の他端側に接続されている。また、第３ポート１０２ｃはアキュムレータ１０５を介して圧縮機１０１の吸入側に接続されている。また、第４ポート１０２ｄはプレート式水熱交換器２０１の一端側に接続されている。暖房運転時、第１ポート１０２ａと第４ポート１０２ｄとの間、および、第２ポート１０２ｂと第３ポート１０２ｃとの間が連通する。一方、冷房運転時、第１ポート１０２ａと第２ポート１０２ｂとの間、および、第３ポート１０２ｃと第４ポート１０２ｄとの間が連通する。なお、プレート式水熱交換器２０１は二次側熱交換端末の一例である。
【００３０】
また、上記室外機１００は、それぞれが例えばサーミスタからなる第１〜第４冷媒温センサ１０６〜１０９と、例えばサーミスタからなる外気温センサ１１０と、第１〜第４冷媒温センサ１０６〜１０９および外気温センサ１１０が検出した温度を示す信号を受ける室外機用制御装置１１１とを有する。
【００３１】
上記第１温度センサ１０６は、電動膨張弁１０４とプレート式水熱交換器２０１との間の冷媒の温度を検出する。この電動膨張弁１０４の他端側には、プレート式水熱交換器２０１の他端側が接続されている。
【００３２】
上記第２温度センサ１０７は、四路切換弁１０２の第４ポート１０２ｄと室内熱交換器５０１との間の冷媒の温度を検出する。
【００３３】
上記第３温度センサ１０８は、圧縮機１０１と四路切換弁１０２の第１ポート１０２ａとの間の冷媒の温度を検出する。
【００３４】
上記第４温度センサ１０９は、室外熱交換器１０３内の冷媒の温度を検出するために、室外熱交換器１０３に取り付けられている。
【００３５】
上記第５外気温センサ１１０は、外気の温度を検出するために、室外熱交換器１０３の近傍に配置されている。
【００３６】
上記室外機用制御装置１１１は、インバータ(図示せず)を介して、圧縮機１０１を制御する。この室外機用制御装置１１１は、プレート式水熱交換器２０１および室内熱交換器５０１の熱交換効率が最適となるように、電動膨張弁１０４も制御する。また、室外機用制御装置１１１は、図示しない信号線を介して床冷暖房ユニット用制御装置２１６に接続されている。
【００３７】
また、上記室外熱交換器１０３、圧縮機１０１、プレート式水熱交換器２０１および電動膨張弁１０４は、環状に接続されて、それぞれが冷媒回路６０１の一部を構成する。なお、冷媒回路６０１を流れる冷媒は熱媒の一例である。
【００３８】
また、図示しないが、上記室外熱交換器１０３の近傍には室外ファンが配置されている。この室外ファンが室外熱交換器１０３に送風を行う。
【００３９】
〔床冷暖房ユニット２００の構成〕
上記床冷暖房ユニット２００は、プレート式水熱交換器２０１、膨張タンク２０２、循環ポンプ２０３、往きヘッダ２０４および戻りヘッダ２０５を有する。
【００４０】
上記プレート式水熱交換器２０１は、冷媒回路６０１の凝縮器または蒸発器として機能する。すなわち、プレート式水熱交換器２０１は、冷媒回路６０１の冷媒との熱交換を行う。これにより、冷温水が生成される。また、プレート式水熱交換器２０１には、室外機１００からの冷媒が流れる流路と、第１〜第８床冷暖房パネル３０１〜３０８からの戻り水が流れる流路とが設けられている。
【００４１】
上記膨張タンク２０２は、正負圧弁が付いており、プレート式水熱交換器２０１からの冷温水が溜まる。また、膨張タンク２０２の上部には給水口２０２ａが設けられており、給水口２０２ａから膨張タンク２０２内に水が必要時に補充される。
【００４２】
上記循環ポンプ２０３は、吸入側が膨張タンク２０２に接続されている一方、吐出側が往きヘッダ２０４に接続されている。これにより、循環ポンプ２０３は、プレート式水熱交換器２０１を通過する冷媒と熱交換した冷温水を第１〜第８床冷暖房パネル３０１〜３０８に送ることができるようになっている。
【００４３】
上記往きヘッダ２０４には、第１〜第８熱動弁２５１〜２５８の一端部側と、水抜き栓２５９の一端部側とが接続されている。この第１〜第８熱動弁２５１〜２５８の他端部側には、第１〜第８床冷暖房パネル３０１〜３０８の水入口が接続されている。なお、第１〜第８熱動弁２５１〜２５８は開閉弁の一例である。
【００４４】
上記第１〜第８熱動弁２５１〜２５８は、冷温水の流れを制御する。より詳しくは、第１〜第８熱動弁２５１〜２５８は、床冷暖房ユニット用制御装置２１６によって制御され、第１〜第８床冷暖房パネル３０１〜３０８の設定温度に対応する開閉動作を行う。
【００４５】
上記戻りヘッダ２０５には、第１〜第８床冷暖房パネル３０１〜３０８の水出口が接続されている。これにより、第１〜第８床冷暖房パネル３０１〜３０８の冷温水が、床冷暖房ユニット２００に戻り、水回路２１１を循環できるようになっている。
【００４６】
また、上記床冷暖房ユニット２００は、例えばサーミスタからなる第１,第２水温センサ２１２，２１３と、例えばサーミスタからなる冷媒温センサ２１４と、冷媒圧センサ２１５と、床冷暖房ユニット用制御装置２１６とを有する。
【００４７】
上記第１水温センサ２１２は、膨張タンク２０２から往きヘッダ２０４へ向かって流れる冷温水の温度を検出し、この温度を示す信号を床冷暖房ユニット用制御装置２１６に送出する。
【００４８】
上記第２水温センサ２１３は、戻りヘッダ２０５からプレート式水熱交換器２０１へ向かって流れる冷温水の温度を検出し、この温度を示す信号を床冷暖房ユニット用制御装置２１６に送出する。
【００４９】
上記冷媒温センサ２１４は、プレート式水熱交換器２０１の他端側の近傍に配置されている。この冷媒温センサ２１４は、電動膨張弁１０４とプレート式水熱交換器２０１の間の冷媒の温度を検出し、この温度を示す信号を床冷暖房ユニット用制御装置２１６に送出する。
【００５０】
上記冷媒圧センサ２１５は、プレート式水熱交換器２０１の一端側の近傍に配置されている。また、冷媒圧センサ２１５は、四路切換弁１０２の第４ポート１０２ｄとプレート式水熱交換器２０１との間の冷媒の圧力を検出し、この圧力を示す信号を床冷暖房ユニット用制御装置２１６に送出する。
【００５１】
上記床冷暖房ユニット用制御装置２１６は、リモコン装置４００から、第１〜第８床冷暖房パネル３０１〜３０８の冷暖房能力設定を示す信号を受信する。また、床冷暖房ユニット用制御装置２１６は、リモコン装置４００からの信号などに基づいて、循環ポンプ２０３および第１〜第８熱動弁２５１〜２５８などを制御する。
【００５２】
〔第１〜第８床冷暖房パネル３０１〜３０８の構成〕
上記第１〜第８床冷暖房パネル３０１〜３０８は、第１〜第８熱動弁２５１〜２５８を介して、冷温水の供給を受けて、温調ゾーンの冷暖房を行う。より詳しくは、第１〜第８床冷暖房パネル３０１〜３０８は、蛇行形状に形成された第１〜第８水循環パイプ３１１〜３１８を有する。この第１〜第８水循環パイプ３１１〜３１８内には、プレート式水熱交換器２０１からの冷温水が流れる。また、第１〜第８水循環パイプ３１１〜３１８の上流側の端部が、第１〜第８床冷暖房パネル３０１〜３０８の水入口を形成する。また、第１〜第８水循環パイプ３１１〜３１８の下流側の端部が、第１〜第８床冷暖房パネル３０１〜３０８の水出口を形成する。ここで、上記温調ゾーンとは、第１〜第８水循環パイプ３１１〜３１８から温熱または冷熱が供給される空間または物体を指す。
【００５３】
図２は上記リモコン装置４００の概略正面図である。
【００５４】
上記リモコン装置４００は、操作部４０１と、この操作部４０１上に設けられた表示部４０２とを備える。
【００５５】
上記操作部４０１は、ゾーン選択ボタン４１１、表示切替ボタン４１２、運転／停止ボタン４１３、戻るボタン４１４、メニュー／決定ボタン４１５、上ボタン４１６、下ボタン４１７、右ボタン４１８および左ボタン４１９を有する。ユーザが、ゾーン選択ボタン４１１、表示切替ボタン４１２、…および左ボタン４１９を操作すると、この操作に対応する操作信号が床冷暖房ユニット用制御装置２１６へ出力される。すなわち、床冷暖房ユニット用制御装置２１６は、操作部４０１から、ユーザの操作に対応する操作信号を受信する。
【００５６】
上記表示部４０２は、図３,図４に示すように、第１画面４０３と第２画面４０４を切り替えて表示することが可能である。このとき、第１,第２画面４０３,４０４のそれぞれには、第１〜第８床冷暖房パネル３０１〜３０８のうちの少なくとも１つの床冷暖房パネルに関わる情報を表示させることが可能である。ここで、上記情報とは、第１〜第８床冷暖房パネル３０１〜３０８が運転している否かを示す情報と、第１〜第８床冷暖房パネル３０１〜３０８のタイマー運転が設定されているか否かを示す情報と、第１〜第８床冷暖房パネル３０１〜３０８の運転モードを示す情報と、第１〜第８床冷暖房パネル３０１〜３０８の冷暖房能力設定の情報とのうちの少なくとも１つを指す。
【００５７】
上記第１画面４０３には、第１表示領域４３１、第２表示領域４３２、第３表示領域４３３および第４表示領域４３４が設けられている。一方、第２画面４０４には、第５表示領域４３５、第６表示領域４３６、第７表示領域４３７および第８表示領域４３８が設けられている。この第１〜第８表示領域４３１〜４３８のそれぞれには、少なくとも、制御グループを示すアルファベットと、運転または停止の漢字と、冷暖房能力設定を示す温度目盛の図形とが表示される。
【００５８】
より詳しくは、図３,図４の状態では、第１床冷暖房パネル３０１が制御グループＡに、第２床冷暖房パネル３０２が制御グループＢに、第３床冷暖房パネル３０３が制御グループＣに、第４床冷暖房パネル３０４が制御グループＤに、第５床冷暖房パネル３０５が制御グループＥに、第６床冷暖房パネル３０６が制御グループＦに、第７床冷暖房パネル３０７が制御グループＧに、第８床冷暖房パネル３０８が制御グループＨに、それぞれ、属している。
【００５９】
また、上記第１〜第８表示領域４３１〜４３８には温調ゾーンの名称が表示されている。この温調ゾーンの名称は、制御グループに属する床冷暖房パネルで冷暖房される温調ゾーンの名称である。例えば第１表示領域４３１の「１Ｆリビング１」は、第１床冷暖房パネル３０１で温調される温調ゾーンの名称を示している。
【００６０】
また、上記第１〜第８表示領域４３１〜４３８において、「運転」は、床冷暖房パネルが運転中であることを示す一方、「停止」は、床冷暖房パネルが停止中であることを示す。例えば第３表示領域４３３の「停止」は、第３床冷暖房パネル３０３が停止中で冷暖房を行っていないことを示している。
【００６１】
また、上記第３,第４,第７,第８表示領域４３３,４３４,４３７,４３８では、タイマー運転が設定されていることを時計の図形で示している。すなわち、第３,第４,第７,第８床冷暖房パネル３０３,３０４,３０７,３０８は、ユーザが設定した時間に冷暖房を行うようになっている。
【００６２】
また、上記第１〜第８表示領域４３１〜４３８には、第１〜第８床冷暖房パネル３０１〜３０８の運転モードが示される。例えば第２,第６表示領域４３２,４３６の「エコ」は、第２,第６床冷暖房パネル３０２,３０６が省エネ運転されることを示している。また、上記第３,第７表示領域４３３,４３７の「快適」は、第３,第７床冷暖房パネル３０３,３０７に供給される冷温水が外気温度および室内温度に応じて補正されることを示している。
【００６３】
また、上記第１〜第８表示領域４３１〜４３８では、冷暖房能力設定が温度目盛の図形で表示されている。例えば第４,第８表示領域４４４,４４８の温度目盛の図形は、冷房運転時、第４,第８床冷暖房パネル３０４,３０８の冷房能力が最大となる設定であることを示す一方、暖房運転時、第４,第８床冷暖房パネル３０４,３０８の暖房能力が最小となる設定であることを示している。また、第１,第５表示領域４３１,４３５の温度目盛の図形は、冷房運転時、第１,第５床冷暖房パネル３０１,３０５の冷房能力が最小となる設定であることを示す一方、暖房運転時、第１,第５床冷暖房パネル３０１,３０５の暖房能力が最大となる設定であることを示している。
【００６４】
また、上記床冷暖房ユニット用制御装置２１６は、図１に示すように、情報表示画面選択部２１６ａと、冷暖房パネル群設定部２１６ｂと、名称設定部２１６ｃと、デフォルト画面選択部２１６ｄとを備える。この情報表示画面選択部２１６ａ、冷暖房パネル群設定部２１６ｂ、名称設定部２１６ｃおよびデフォルト画面選択部２１６ｄは、ソフトウェアで構成されている。なお、床冷暖房パネル群設定部２１６ｂは熱交換端末群設定部の一例である。
【００６５】
上記情報表示画面選択部２１６ａは、第１,第２画面４０３,４０４の中から、第１〜第８床冷暖房パネル３０１〜３０８に関わる情報を表示する画面を、操作部４０１からの操作信号に基づいて選択する。この情報表示画面選択部２１６ａにより、例えば、ユーザは、第１画面４０３に表示されている第１〜第４床冷暖房パネル３０１〜３０４に関わる情報を第２画面４０４に表示させることができる。このような表示変更を行う場合、第２画面４０４に表示されている第５〜第８床冷暖房パネル３０５〜３０８に関わる情報は、第１画面４０３にさせることになる。
【００６６】
上記床冷暖房パネル群設定部２１６ｂは、第１〜第８床冷暖房パネル３０１〜３０８のうちの少なくとも２つをグループ化して床冷暖房パネル群を設定する。この床冷暖房パネル群設定部２１６ｂにより、例えば、ユーザは、第１,第２床冷暖房パネル３０１,３０２をグループ化して１つの床冷暖房パネル群を設定することができる。なお、床冷暖房パネル群は二次側熱交換端末群の一例である。
【００６７】
また、上記第１,第２床冷暖房パネル３０１,３０２をグループ化して床冷暖房パネル群を設定した場合、第１床冷暖房パネル３０１の運転動作が、第２床冷暖房パネル３０２の運転動作と一致するようになる。すなわち、床冷暖房ユニット用制御装置２１６は、第１,第２熱動弁２５１に同一の制御信号を送出するようになる。別の言い方をすれば、同一の床冷暖房パネル群に属する床冷暖房パネルに対応する熱動弁には、同一の制御信号が送出される。
【００６８】
また、上記情報表示画面選択部２１６ａは、第１,第２画面４０３,４０４の中から、第１〜第８床冷暖房パネル３０１〜３０８に関わる情報と床冷暖房パネル群との少なくとも一方を表示する画面を、操作部４０１からの操作信号に基づいて選択する。この情報表示画面選択部２１６ａにより、例えば、ユーザは、第１,第２床冷暖房パネル３０１,３０２をグループ化した床冷暖房パネル群に関わる情報を、第１画面４０３に表示させると共に、第３〜第５床冷暖房パネル３０３〜３０５に関わる情報を、第１画面４０３に表示させることができる。
【００６９】
また、上記情報表示画面選択部２１６ａは、床冷暖房パネル群の数と、床冷暖房パネル群設定部２１６ｂによってグループ化されていない床冷暖房パネルの数とを合わせた数が、例えば４以下になったとき、床冷暖房パネルに関わる情報と床冷暖房パネル群に関わる情報との少なくとも一方を表示する画面として、第１画面４０３を選択する。例えば、第１〜第８床冷暖房パネル３０１〜３０８の全てがグループ化されて１つの床冷暖房パネル群が設定されたとき、この１つの床冷暖房パネル群に関わる情報を表示する画面として、第１画面４０３が自動的に選択される。
【００７０】
上記名称設定部２１６ｃは、第１〜第８床冷暖房パネル３０１〜３０８および床冷暖房パネル群に関わる情報に対応する温調ゾーンの名称を、操作部４０１からの操作信号に基づいて設定する。この名称設定部２１６ｃにより、例えば、ユーザは、第２表示領域４３２の「１Ｆキッチン」を「１Ｆリビング１」に変更できる。この変更後の名称は、床冷暖房ユニット用制御装置２１６内の記憶装置(図示せず)内に予め記憶させた複数の名称からユーザが選べるようにしてもよい。あるいは、変更後の名称は、ユーザが任意に付けることができるようにしてもよい。
【００７１】
上記デフォルト画面選択部２１６ｄは、第１,第２画面４０３,４０４の中から、デフォルト画面を、操作部４０１からの操作信号に基づいて選択する。このデフォルト画面選択部２１６ｄにより、例えば、ユーザは、第２画面４０４をデフォルト画面に変更することができる。
【００７２】
上記構成の温調ユニットでは、表示部４０２が第１画面４０３を表示しているとき、表示切替ボタン４１２が押されると、第１画面４０３から第２表示画面に切り替わる。また、上記表示部４０２が第２画面４０４を表示しているとき、表示切替ボタン４１２が押されると、第２画面４０４から第１画面４０３に切り替わる。
【００７３】
このように、上記表示切替ボタン４１２の操作により、第１,第２画面４０３,４０４を切り替えることができるので、第１〜第８床冷暖房パネル３０１〜３０８に関わる情報の全てを１つのリモコン装置４００で確認することができる。
【００７４】
もし、上記第１,第２画面４０３,４０４を切り替えることができないなら、リモコン装置４００と同様のリモンコン装置を少なくとも１つ用意しなければ、第１〜第８床冷暖房パネル３０１〜３０８に関わる情報の全てを確認できない。
【００７５】
また、上記表示部４０２が図３の第１画面４０３を表示しているとき、ユーザが、運転／停止ボタン４１３を押すと、第１,第２,第４表示領域４３１,４３２,４３４の「運転」の表示が「停止」に切り替わる。このとき、第３表示領域４３３の「停止」の表示はそのまま維持される。
【００７６】
また、上記第１,第２,第４床冷暖房パネル３０１,３０２,３０４が停止した後、ユーザが、運転／停止ボタン４１３を再び押すと、第１,第２,第４床冷暖房パネル３０１,３０２,３０４の運転が再開される。
【００７７】
このように、上記運転／停止ボタン４１３を押すことにより、第１〜第４床冷暖房パネル３０１〜３０４のうちの複数を一括停止させることができる。
【００７８】
また、上記運転／停止ボタン４１３を再び押すことにより、第１〜第４床冷暖房パネル３０１〜３０４のうちの複数の運転を一括再開させることができる。
【００７９】
また、上記表示部４０２が図４の第２画面４０４を表示しているとき、ユーザが、運転／停止ボタン４１３を押しても、第５〜８床冷暖房パネル３０５〜３０８のうちの複数を一括停止させることができると共に、第５〜第８床冷暖房パネル３０５〜３０８のうちの複数の運転を一括再開させることができる。
【００８０】
また、上記表示部４０２が図３の第１画面４０３を表示しているとき、上ボタン４１６が押されると、第２〜第４表示領域４３２〜４３４の冷暖房能力設定の目盛がそれぞれ１目盛ずつ増える。ただし、第１表示領域４３１の冷暖房能力設定の目盛は最大になっているので、第１表示領域４３１の冷暖房能力設定の目盛は変化しない。
【００８１】
したがって、上記上ボタン４１６を押すことにより、第１〜第４床冷暖房パネル３０１〜３０４の冷暖房能力設定のうちの複数を一括上昇させることができる。
【００８２】
また、上記表示部４０２が第１画面４０３を表示しているとき、ユーザが、下ボタン４１７を押すと、第１〜第３表示領域４３１〜４３３の冷暖房能力設定がそれぞれ１目盛ずつ減る。ただし、第４表示領域４３４の冷暖房能力設定は最低にしているため、第４表示領域４３４の冷暖房能力設定の目盛は変化しない。
【００８３】
したがって、上記下ボタン４１７を押すことにより、第１〜第４床冷暖房パネル３０１〜３０４の冷暖房能力設定のうちの複数を一括下降させることができる。
【００８４】
また、上記表示部４０２が図４の第２画面４０４を表示しているとき、ユーザが、上ボタン４１６または下ボタン４１７を押しても、第５〜第８床冷暖房パネル３０５〜３０８の冷暖房能力設定のうちの複数を一括上昇させたり、一括下降させたりすることができる。
【００８５】
また、上記表示部４０２が図３の第１画面４０３を表示しているとき、ユーザがゾーン選択ボタン４１１を押すと、第１表示領域４３１の「Ａ」が、図５に示すように、反転表示される。引き続いて、ユーザがメニュー／決定ボタン４１５を押すと、第１床冷暖房パネル３０１のタイマー運転の設定の詳細情報を確認するための画面に切り替わる。さらに、ユーザがメニュー／決定ボタン４１５を押すと、第１床冷暖房パネル３０１のタイマー運転を設定するための画面に切り替わる。
【００８６】
また、図示しないが、上記第１表示領域４３１の「Ａ」が反転表示されているとき、上ボタン４１６または下ボタン４１７の操作により、「Ｂ」、「Ｃ」および「Ｄ」を順次反転表示させることができる。
【００８７】
また、図示しないが、上記表示部４０２が第２画面４０４を表示しているとき、ユーザが、ゾーン選択ボタン４１１を押した後、上ボタン４１６または下ボタン４１７を押すことにより、「Ｅ」、「Ｆ」、「Ｇ」および「Ｈ」を順次反転表示させることもできる。
【００８８】
また、上記第１〜第８表示領域４３１〜４３８の「Ａ」〜「Ｈ」のうちの１つの表示が、図５に示すような反転表示になっているとき、ユーザが、運転／停止ボタン４１３を押すと、反転表示のアルファベットの床冷暖房パネル群に属する床冷暖房パネルだけが、運転されたり、停止されたりする。
【００８９】
また、上記第１〜第８表示領域４３１〜４３８の「Ａ」〜「Ｈ」のうちの１つの表示が、図５に示すような反転表示になっているとき、ユーザが、上ボタン４１６または下ボタン４１７を押すと、反転表示のアルファベットの床冷暖房パネル群に属する床冷暖房パネルだけの冷暖房能力設定が、上昇したり、下降したりする。
【００９０】
また、上記表示部４０２が図３の第１画面４０３または図４の第２画面４０４を表示しているとき、ユーザがメニュー／決定ボタン４１５を押すと、複数のメニューが表示される。この複数のメニューのうちの１つのメニューをユーザが選択すると、表示部４０２が、図６に示す表を表示する。この表は、制御グループと表示画面との関係を示している。この表において、「Ｉ」は第１画面４０３を示す一方、「II」は第２画面４０４を示す。すなわち、上記表によれば、制御グループＡ,Ｂ,Ｃ,Ｄに属する第１〜第４床冷暖房パネル３０１〜３０４は第１画面４０３に表示されるように設定されている一方、制御グループＥ,Ｆ,Ｇ,Ｈに属する第５〜第８床冷暖房パネル３０５〜３０８は第２画面４０４に表示されるように設定されている。この表の「Ｉ」,「II」は、上ボタン４１６、下ボタン４１７、右ボタン４１８および左ボタン４１９の操作で変更可能になっている。例えば、「Ｄ」下の「Ｉ」を「II」に変更すると、制御グループＤに属する第４床冷暖房パネル３０４が第２画面４０４に表示されるようにすることができる。このような表示変更を行うことにより、表示部４０２の表示をユーザの希望に合わせることができる。したがって、使い勝手に不満を感じるユーザを低減できる。
【００９１】
また、上記複数のメニューのうちの他の１つのメニューをユーザが選択すると、表示部４０２が、図７に示す表を表示する。この表は、床冷暖房パネルと制御グループとの関係を示している。この表において、「１」は第１床冷暖房パネル３０１を、「２」は第２床冷暖房パネル３０２を、「３」は第３床冷暖房パネル３０３を、「４」は第４床冷暖房パネル３０４を、「５」は第５床冷暖房パネル３０５を、「６」は第６床冷暖房パネル３０６を、「７」は第７床冷暖房パネル３０７を、「８」は第８床冷暖房パネル３０８を示す。すなわち、上記表によれば、第１床冷暖房パネル３０１は制御グループＡに、「２」は第２床冷暖房パネル３０２に、「３」は第３床冷暖房パネル３０３に、「４」は第４床冷暖房パネル３０４に、「５」は第５床冷暖房パネル３０５に、「６」は第６床冷暖房パネル３０６に、「７」は第７床冷暖房パネル３０７に、「８」は第８床冷暖房パネル３０８に属するように設定されている。この表の「Ａ」〜「Ｈ」は、上ボタン４１６、下ボタン４１７、右ボタン４１８および左ボタン４１９の操作で変更可能になっている。例えば、「２」下の「Ｂ」を「Ａ」に変更すると、第１,第２床冷暖房パネル３０１,３０２が制御グループＡに属するように設定することができる。すなわち、第１,第２床冷暖房パネル３０１,３０２をグループ化して１つの床冷暖房パネル群を設定することができる。この設定を行った場合、図６の表の「Ａ」下に「Ｉ」を表示させると、上記床冷暖房パネル群に関わる情報が第１画面４０３に表示される一方、図６の表の「Ａ」下に「II」に表示させると、上記床冷暖房パネル群に関わる情報が第２画面４０４に表示される。したがって、上記床冷暖房パネル群が設定されたとき、ユーザは、床冷暖房パネルに関わる情報と床冷暖房パネル群に関わる情報との少なくとも一方を、希望の画面に表示させることができる。
【００９２】
また、図７の表の「Ａ」〜「Ｈ」の種類数を４以下にすると、床冷暖房パネルに関わる情報と床冷暖房パネル群に関わる情報との少なくとも一方が、第１画面４０３に自動的に表示されるようになる。したがって、ユーザの画面設定の手間を軽減できる。
【００９３】
また、図７の表の「Ｂ」〜「Ｈ」の全てを「Ａ」に変更すると、第１〜第８床冷暖房パネル３０１〜３０８が制御グループＡに属するように設定することができる。すなわち、第１〜第８床冷暖房パネル３０１〜３０８をグループ化して１つの床冷暖房パネル群を設定することができる。この設定を行った場合、上記床冷暖房パネル群に関わる情報が第１画面４０３に自動的に表示されるようになる。したがって、ユーザの画面設定の手間を軽減できる。
【００９４】
また、上記表示部４０２が第１画面４０３または第２画面４０４を表示しているとき、メニュー／決定ボタン４１５の操作で表示される複数のメニューの中には、温調ゾーンの名称を変更するためのメニューも含まれている。したがって、上記温調ゾーンの名称を変更するためのメニューをユーザが選択することにより、温調ゾーンの名称を変更することができるので、温調システムの使い勝手を向上させることができる。
【００９５】
また、上記表示部４０２が第１画面４０３または第２画面４０４を表示しているとき、メニュー／決定ボタン４１５の操作で表示される複数のメニューの中には、デフォルト画面を変更するためのメニューも含まれている。したがって、上記デフォルト画面を変更するためのメニューをユーザが選択することにより、例えば第２画面４０４をデフォルト画面に設定することができる。その結果、表示部４０２の表示をユーザの希望に近くづけることができる。
【００９６】
また、上記操作部４０１に特定操作が行われた場合、第１〜第８床冷暖房パネル３０１〜３０８の中に運転中の床冷暖房パネルがあるとき、その運転中の床冷暖房パネルの全てが停止する。例えば、図３,図４の状態で、表示部２０１が第１画面３０１を表示しているとき、ユーザが、運転／停止ボタン４１３を３秒間長押すると、運転中の第１,第２,第４,第５,第６,第８床冷暖房パネル３０１,３０２,３０４,３０５,３０６,３０８の全てが停止する。したがって、ユーザの操作負荷を軽減できる。
【００９７】
なお、上記運転／停止ボタン４１３の長押しの直前に停止していた第３,第７床冷暖房パネル３０３,３０７は、運転／停止ボタン４１３の長押しで、停止状態から運転状態へならない。
【００９８】
また、上記運転中の床冷暖房パネルの全てが停止した後、操作部４０１に特定操作が行われた場合、その停止の直前に運転されていた床冷暖房パネルの運転が再開する。例えば、図３,図４の状態で、表示部２０１が第１画面３０１を表示しているとき、ユーザが、運転／停止ボタン４１３を３秒間長押して、運転中の第１,第２,第４,第５,第６,第８床冷暖房パネル３０１,３０２,３０４,３０５,３０６,３０８の全てが停止したとする。この後、ユーザが、再び運転／停止ボタン４１３を３秒間長押すると、第１,第２,第４,第５,第６,第８床冷暖房パネル３０１,３０２,３０４,３０５,３０６,３０８の全ての運転が再開する。したがって、ユーザの操作負荷を軽減できる。
【００９９】
なお、上記１回目の運転／停止ボタン４１３の長押しの直前に停止していた第３,第７床冷暖房パネル３０３,３０７は、１回目,２回目の運転／停止ボタン４１３の長押しで、停止状態から運転状態へならない。
【０１００】
上記実施形態において、「長押し」と書かずに「押す」,「押される」と書いている場合の操作は、長押しではなく、押してすぐ離す操作を意味している。
【０１０１】
上記実施形態では、温調システムは、第１〜第８床冷暖房パネル３０１〜３０８で冷暖房を行えるものであったが、第１〜第８床冷暖房パネル３０１〜３０８で冷房と暖房との一方のみを行えるものであってもよい。
【０１０２】
上記実施形態では、複数の床冷暖房パネルに関わる情報を表示可能な画面の数は、２つであったが、３以上にしてもよい。
【０１０３】
上記実施形態では、第１,第２画面４０３,４０４のそれぞれの表示領域数は４つであったが、５以上にしてもよい。
【０１０４】
上記実施形態では、運転／停止ボタン４１３の長押しを特定操作の一例としていたが、例えば、表示切替ボタン４１２と運転／停止ボタン４１３の二重押しを特定操作の一例としてもよい。
【０１０５】
上記実施形態では、床冷暖房パネル群の数と、床冷暖房パネル群設定部２１６ｂによってグループ化されていない床冷暖房パネルの数とを合わせた数が、４以下になったとき、床冷暖房パネルに関わる情報と床冷暖房パネル群に関わる情報との少なくとも一方が、第１画面４０３に自動的表示されるようになっていたが、第２画面４０４に自動的表示されるようにしてもよい。
【０１０６】
また、上記第１画面４０３または第２画面４０４への情報表示の自動設定は、床冷暖房パネル群の数と、床冷暖房パネル群設定部２１６ｂによってグループ化されていない床冷暖房パネルの数とを合わせた数が、例えば３以下になったときに行われるようにしてもよい。
【０１０７】
上記実施形態では、情報表示画面選択部２１６ａ、冷暖房パネル群設定部２１６ｂ、名称設定部２１６ｃおよびデフォルト画面選択部２１６ｄの少なくとも一つは、ソフトウェアで構成されていたが、スイッチ、タイマ、比較器、増幅器等のハードウェアで構成されるようにしてもよい。
【０１０８】
上記実施形態において、室外機用制御装置１１１が、情報表示画面選択部２１６ａ、冷暖房パネル群設定部２１６ｂ、名称設定部２１６ｃおよびデフォルト画面選択部２１６ｄの少なくとも１つを有するようにしてもよい。
【０１０９】
上記実施形態では、床冷暖房ユニット２００は、プレート式水熱交換器２０１を二次側熱交換端末の一例として有していたが、例えば二重管式水熱交換器を二次側熱交換端末の一例として有してもよい。
【０１１０】
上記実施形態において、冷媒圧センサ２１５の代わりに、圧力スイッチを設けてもよい。
【０１１１】
上記実施形態では、冷媒回路６０１に、電動膨張弁１０４を設けていたが、膨張機構の一例としての例えばキャピラリチューブを設けてもよい。
【０１１２】
上記実施形態において、第１〜第８床冷暖房パネル３０１〜３０８のうちの少なくとも一つを、天井冷暖房パネル、天井冷房パネル、天井暖房パネル、壁冷暖房パネル、壁冷房パネル、壁暖房パネル、または、室内設置型ラジエタに換えてもよい。
【０１１３】
上記実施形態において、室外機用制御装置１１１と床冷暖房ユニット用制御装置２１６の間の通信は、有線で行ってもよいし、無線で行ってもよい。
【０１１４】
上記実施形態において、電気ヒータに対する通電により弁体を加熱して膨張させ、その弁体の膨張によって開動作または閉動作を行う熱動弁を開閉弁の一例として用いてもよい。
【０１１５】
以上、本発明の具体的な実施形態について説明したが、本発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【０１１６】
１００  室外ユニット
２００  床冷暖房ユニット
２０１  プレート式水熱交換器
２１６ａ  情報表示画面選択部
２１６ｂ  熱交換端末群設定部
２１６ｃ  名称設定部
２１６ｄ  デフォルト画面選択部
２５１  第１熱動弁
２５２  第２熱動弁
２５３  第３熱動弁
２５４  第４熱動弁
２５５  第５熱動弁
２５６  第６熱動弁
２５７  第７熱動弁
２５８  第８熱動弁
３０１  第１床冷暖房パネル
３０２  第２床冷暖房パネル
３０３  第３床冷暖房パネル
３０４  第４床冷暖房パネル
３０５  第５床冷暖房パネル
３０６  第６床冷暖房パネル
３０７  第７床冷暖房パネル
３０８  第８床冷暖房パネル
４００  リモコン装置
４０１  操作部
４０２  表示部
４０３  第１画面
４０４  第２画面
【図１】
2016075461.tif 000003
【図２】
2016075461.tif 000004
【図３】
2016075461.tif 000005
【図４】
2016075461.tif 000006
【図５】
2016075461.tif 000007
【図６】
2016075461.tif 000008
【図７】
2016075461.tif 000009